(57)【要約】【課題】平常時は投下視認性が高く、必要な時だけ透過視認性を低くすることができる発光部付きの窓サッシを提供する。【解決手段】透明板１と、透明板１の外周を覆うパネル枠２と、透明板１の外周から内部を照らすようにパネル枠２に設けられた発光部３と、透明板１に設けられた拡散部４とを有しており、発光時には発光部３からの出射光が拡散部４で拡散することで透明板１の透過視認性が低くなり、消光時には室内から外界を視認できる程度に透明板１の透過視認性が高くなるようになしている。【選択図】図１
2007170062.tif 000002
【特許請求の範囲】
【請求項１】
透明板と、透明板の外周を覆うパネル枠と、透明板の外周から内部を照らすようにパネル枠に設けられた発光部と、透明板に設けられた拡散部とを有しており、発光部に発光時には発光部からの出射光が拡散部で拡散することで透明板の透過視認性が低くなり、発光部の消光時には室内から外界を視認できる程度に透明板の透過視認性が高くなるようになしている窓パネルを用いた窓サッシ。
【請求項２】
拡散部は、金網で形成されており、透明板の全面にわたって設けられていることを特徴とする請求項１記載の窓サッシ。
【請求項３】
窓パネルは、左右の戸当たり枠と、上枠と、下枠とを有する開口枠の上枠及び下枠に沿って移動させることで開閉するものであって、パネル枠の戸当たり枠との接触面付近にはパネル接続部が設けられており、戸当たり枠には閉状態においてパネル接続部と接続する固定接続部が設けられており、閉状態においてパネル接続部と固定接続部とが接続されることによって発光部に電力供給されるようになしたことを特徴とする請求項１又は２記載の窓サッシ。
【請求項４】
発光部は、発光体と、閉状態において電力供給を受けることで充電される電池とを有しており、電池の電力を用いて発光体を発光させることを特徴とする請求項３記載の窓サッシ。
【発明の詳細な説明】
【技術分野】
【０００１】
本願発明は、パネルが発光する照明機能を備えた窓サッシに関するものである。
【背景技術】
【０００２】
従来から、特開平５−２９５９６２号公報（特許文献１）に示されるように、照明機能を備えた窓サッシは知られている。この窓サッシは、図２に示すように、戸枠１５に取り付けられた窓パネル５が戸枠１５を軸にして回動することで開閉するものであって、戸枠１５内に発光体１３が設けられている。又、窓パネル５は導光板１６とパネル枠２とからなり、導光板１６には乱反射用溝１７が設けられている。
【０００３】
したがって、この窓サッシは、昼間は太陽光を窓パネル５の裏面側から導入し、導光板１６の乱反射用溝１７で乱反射して表面側へと放出させることで採光することができる。一方、夜間においては、発光体１３から出射させた出射光が導光板１６を通り乱反射用溝１７で乱反射して外部に放出され、窓パネル５の表面側及び裏面側を照明するものである。
【特許文献１】特開平５−２９５９６２号公報
【発明の開示】
【発明が解決しようとする課題】
【０００４】
しかしながら、上記従来例である窓サッシにあっては、発光体１３からの出射光だけでなく、採光する太陽光をも乱反射溝１７で乱反射させてしまうため、常に透過視認性の低い窓パネル５となる。
【０００５】
本願発明は、上記背景技術に鑑みて発明されたものであり、その課題は、平常時は透過視認性が高く、必要な時だけ透過視認性を低くすることができる発光部付きの窓サッシを提供することである。
【課題を解決するための手段】
【０００６】
上記課題を解決するために、本願請求項１記載の発明では、透明板と、透明板の外周を覆うパネル枠と、透明板の外周から内部を照らすようにパネル枠に設けられた発光部と、透明板に設けられた拡散部とを有しており、発光時には発光部からの出射光が拡散部で拡散することで透明板の透過視認性が低くなり、消光時には室内から外界を視認できる程度に透明板の透過視認性が高くなるようになしている。
【０００７】
又、本願請求項２記載の発明では、上記請求項１記載の窓サッシにおいて、拡散部は金網で形成されており、透明板の全面にわたって設けられていることを特徴としている。
【０００８】
又、本願請求項３記載の発明では、上記請求項１又は２記載の窓サッシにおいて、窓パネルは左右の戸当たり枠と、上枠と、下枠とを有する開口枠の上枠及び下枠に沿って移動させることで開閉するものであって、パネル枠の戸当たり枠との接触面付近にはパネル接続部が設けられており、戸当たり枠には閉状態においてパネル接続部と接続する固定接続部が設けられており、閉状態においてパネル接続部と固定接続部とが接続されることによって発光部に電力供給されるようになしたことを特徴としている。
【０００９】
又、本願請求項４記載の発明では、上記請求項１〜３いずれか一項記載の窓サッシにおいて、発光部は発光体と、閉状態において電力供給を受けることで充電される電池とを有しており、電池の電力を用いて発光体を発光させることを特徴としている。
【発明の効果】
【００１０】
本願請求項１記載の発明の窓サッシにおいては、発光時において発光部からの出射光は拡散部で乱反射することにより拡散するため、透明板の透過視認性が低くなり、外界から室内を見えにくくすることができる。更に、この発光時において、透明板が略全面にわたって発光するため、窓パネルの、室内となる表面側及び外界となる裏面側を照明することができる。又、消光時において、透明板は拡散部が設けられていない領域から充分に外光が透過されるようになしているため、透明板の透過視認性は高く、室内から外界を充分に視認することができる。
【００１１】
又、本願請求項２記載の発明の窓サッシにおいては、拡散部が金網で形成されており、透明板の全面にわたって設けられているため、発光部からの出射光を拡散させると同時に透明板の強度を高くすることができる。
【００１２】
又、本願請求項３記載の発明の窓サッシにおいては、戸当たり枠から電力を供給することで発光部を発光させることができる。したがって、導線を露出させないで電力を供給できるため、導線が邪魔になるといった問題を生じない。
【００１３】
又、本願請求項４記載の発明の窓サッシにおいては、発光部に電池が設けられているため開状態においても発光体を発光させることができ、更に、閉状態においては、戸当たり枠から電池に電力を供給することで充電することができる。
【発明を実施するための最良の形態】
【００１４】
図１は、本願請求項１〜４に対応した一実施形態である窓サッシを示している。この窓サッシは、窓パネル５を開口枠１０の上枠８及び下枠９に沿って移動させることで開閉するものである。窓パネル５は、透明板１と、透明板１の外周を覆うパネル枠２と、透明板１の外周から内部を照らすようにパネル枠２に設けられた発光部３と、透明板１に設けられた金網６からなる拡散部４とを有している。この窓パネル５は、発光時には発光部３からの出射光が拡散部４で拡散することで透明板１の透過視認性が低くなり、又、消光時には室内から外界を視認できる程度に透明板１の透過視認性が高くなるようになしている。
【００１５】
又、パネル枠２の戸当たり枠７との接触面付近にはパネル接続部１１が設けられており、戸当たり枠７には閉状態においてパネル接続部１１と接続する固定接続部１２が設けられており、閉状態においてパネル接続部１１と固定接続部１２とが接続されることによって発光部３に電力供給されるようになしている。更に、発光部３は発光体１３と、閉状態において戸当たり枠７から電力供給を受けることで充電される電池１４とを有しており、電池１４の電力を用いて発光体１３を発光させるようになしている。
【００１６】
以下、この実施形態の窓サッシを、より具体的詳細に説明する。図１に示すように、この窓サッシは、窓パネル５を開口枠１０の上枠８及び下枠９に沿って移動させることで開閉するものであり、大別すると左右二枚の窓パネル５と、開口枠１０とからなっている。
【００１７】
窓パネル５は、透明板１と、透明板１の外周を覆うパネル枠２とからなっており、透明板１には拡散部４となる金網６が全面にわたって設けられている。透明板１は透明ガラスや透明樹脂等からなっており、金網６は照射された光を乱反射するような加工が施されている。なお、この金網６は透明板１に一定の間隔で複数本設けられるものであり、透明板の強度を全面にわたって高められる程度に設けられていればよい。又、パネル枠２の表面にはスイッチ１９が設けられており、パネル枠２の内部にはパネル接続部１１と発光部３とが設けられている。更に、発光部３には透明板１に接続して上下五箇所ずつ設けられた発光体１３と電池１４と電力を伝達する導線１８とを有しており、発光体１３として単色又は複数色の光を発光するＬＥＤを使用している。
【００１８】
したがって、スイッチ１９をＯＮにすることで、電池１４からの電力が導線１８を通って全ての発光体１３へと供給され、発光体１３が発光する。この発光体１３からの出射光は透明板１に入射し、透明板１に設けられた金網６で乱反射することで拡散され、透明板１全面が発光する。なお、金網６は複数の斜線状であって、透明板１の内部に一定の間隔を保って設けられており、スイッチ１９をＯＦＦにした消灯時には透明板１の透過視認性が高くなるようになしている。
【００１９】
開口枠１０は、左右の戸当たり枠７と、上枠８と、下枠９とからなっており、戸当たり枠７の内部であって、パネル枠２との接触面付近には左右一個ずつ固定接続部１２が設けられている。この固定接続部１２と、固定接続部１２に接続されるパネル接続部１１とはコイルで形成されており、更に、パネル接続部１１はパネル枠２の内部であって閉状態において固定接続部１２と対面する位置に設けられている。この実施形態では、固定接続部１２とパネル接続部１１とを電磁気的に接続させ、非接触給電を行うものである。したがって、閉状態において、固定接続部１２に電力を伝達すると、パネル接続部１１に誘導起電力が発生し、発生した電力は導線１８によって電池１４に供給されるようになしている。
【００２０】
したがって、この実施形態の窓サッシにおいては、発光時において、発光体１３からの出射光は金網６で乱反射することにより拡散するため、透明板１の透過視認性が低くなり、外界から室内を見えにくくすることができる。更に、この発光時において、透明板１が略全面にわたって発光するため、窓パネル５の室内となる表面側及び外界となる裏面側を照明することができる。したがって、特に夜間において、室内を照明すると同時に外界からは室内を見えにくくすることができるため有効である。
【００２１】
又、消光時において、透明板１は拡散部４が設けられていない領域から充分に外光を透過するようになしているため、透明板１の透過視認性は高く、室内から外界を充分に視認することができる。
【００２２】
又、拡散部４が金網６で形成されており、透明板１の内部に略全面にわたって設けられているため、透明板１の強度を高くすることができる。
【００２３】
又、発光部３に電池１４が設けられているため、開状態においても発光体１３を発光させることができる。
【００２４】
又、戸当たり枠７から電力を供給できるため、閉状態において電池１４を充電することができ、更に、導線１８を露出させないで電力を供給できるため、導線１８が邪魔になるといった問題を生じない。
【００２５】
又、発光体１３として単色又は複数色のＬＥＤを使用しており、ＬＥＤは蛍光灯や白熱灯に比べて小型で長寿命なため、発光体１３の設置スペースが少なくてすみ、発光体１３を取り替える回数が非常に少なくてすむ。更に、複数色のＬＥＤを用いた場合は、透明板１を様々な色で発光させることができる。
【００２６】
又、この実施形態においては、非接触給電によって電力を供給しており、固定接続部１２及びパネル接続部１１はそれぞれ戸当たり枠７及びパネル枠２に内蔵されているため、これら接続部２０が露出して設けられている場合と比べて破損しにくい構造となっている。したがって、接続部２０の破損により電力が供給されにくくなるといった問題はほとんど生じない。
【００２７】
なお、この実施形態では、非接触給電により電力供給を行うものであるが、固定接続部とパネル接続部とが物理的に接続される接触給電によって電力供給を行ってもよい。接触給電とした場合、接続部が破損しない限りは、非接触給電に比べて高効率の電力伝達が可能となる。ただし、この場合は、非接触給電による効果は奏さない。
【００２８】
又、この実施形態とは別の実施形態で、拡散部として樹脂等で形成される拡散板を用いることもできる。この場合、発光体からの出射光は拡散部で吸収されることがなく、金網６を用いた場合に比べて、高効率に透明板１を発光させることができる。ただし、この場合は、請求項２の効果は奏さない。
【図面の簡単な説明】
【００２９】
【図１】本願発明の一実施形態である窓サッシを示す斜視図。
【図２】従来例である窓サッシを示す上面図。
【符号の説明】
【００３０】
１  透明板
２  パネル枠
３  発光部
４  拡散部
５  窓パネル
６  金網
７  戸当たり枠
８  上枠
９  下枠
10  開口枠
11  パネル接続部
12  固定接続部
13  発光体
14  電池
【図１】
2007170062.tif 000003
【図２】
2007170062.tif 000004